(57)【要約】【課題】縁石ブロックに対するセンサや回路部品等のデバイスの収容、及び、デバイスへの電気配線作業を容易に行うことができる縁石ブロック及びブロックセットを提供する。【解決手段】道路の境界部に設けられる縁石ブロック１１，１２であって、長さ方向の端部に、上面及び長さ方向の端面において開口する収容凹部２２が形成され、収容凹部２２を除く長さ方向の全体にわたって電線又は電線挿通管２３を収容するための電線収容部２１が形成されている。【選択図】図４
2019218688.tif 000002
【特許請求の範囲】
【請求項１】
道路の境界部に設けられる縁石ブロックであって、
当該縁石ブロックの長さ方向の端部に、上面及び長さ方向の端面において開口する収容凹部が形成され、
前記収容凹部を除く長さ方向の全体にわたって電線又は電線挿通管を収容するための電線収容部が形成されている、縁石ブロック。
【請求項２】
前記収容凹部が、長さ方向の片側の端部に形成されている、請求項１に記載の縁石ブロック。
【請求項３】
前記収容凹部が、長さ方向の両端部に形成されている、請求項１に記載の縁石ブロック。
【請求項４】
前記電線収容部が、前記収容凹部を除く長さ方向の全体にわたって形成され当該縁石ブロックの上面において開放した溝を含む、請求項１〜３のいずれか１項に記載の縁石ブロック。
【請求項５】
前記電線収容部が、前記収容凹部を除く長さ方向の全体にわたって内部に埋設された電線挿通管を含む、請求項１〜３のいずれか１項に記載の縁石ブロック。
【請求項６】
道路の境界部に設置される複数の縁石ブロックを含むブロックセットであって、
長さ方向の少なくとも一端部に上面及び長さ方向の端面において開口する収容凹部が形成され、前記収容凹部を除く長さ方向の全体にわたって電線又は電線挿通管を収容するための電線収容部が形成されている第１縁石ブロックと、
長さ方向の少なくとも他端部に上面及び長さ方向の端面において開口する収容凹部が形成され、前記収容凹部を除く長さ方向の全体にわたって電線又は電線挿通管を収容するための電線収容部が形成されている第２縁石ブロックと、を備え、
前記第１縁石ブロックと前記第２縁石ブロックとが、互いに前記収容凹部を連通させた状態で隣接して配置される、ブロックセット。
【請求項７】
前記第１縁石ブロックと前記第２縁石ブロックとの間に設けられかつ前記第１縁石ブロックの収容凹部と前記第２縁石ブロックの収容凹部とを連通させるための切欠を有する目地部材をさらに備える、請求項６に記載のブロックセット。
【請求項８】
前記第１縁石ブロックの収容凹部と前記第２縁石ブロックの収容凹部との上面開口を、両収容凹部に跨って塞ぐ蓋体をさらに備える、請求項６又は７に記載のブロックセット。
【請求項９】
前記第１縁石ブロックの収容凹部と前記第２縁石ブロックの収容凹部とにわたって配置される収容箱をさらに備える、請求項６〜８のいずれか１項に記載のブロックセット。
【請求項１０】
前記収容凹部が形成されていない前記第１又は第２縁石ブロックの端部に隣接して配置され、かつ、長さ方向の全体にわたって電線又は電線挿通管を収容するための電線収容部が形成された第３縁石ブロックをさらに備えている、請求項６〜９のいずれか１項に記載のブロックセット。
【発明の詳細な説明】
【技術分野】
【０００１】
本発明は、縁石ブロック、及びこの縁石ブロックを含むブロックセットに関する。
【背景技術】
【０００２】
近年、身近な交通手段である自転車の活用により環境への負荷低減や災害時における交通機能の維持等を図るため、自転車の活用を総合的かつ計画的に推進することを目的とした「自転車活用推進法」が施行され、今後ますます自転車の利用が活性化されると考えられる。しかし、自転車の利用が増大するに伴って道路の安全対策がより重要となる。特に、自転車による事故の多くは安全不確認や信号無視の交通ルールの不遵守、逆走や右側通行などの不適切通行が原因となっているため、例えば、道路上を走行する自転車の動きをセンサ等によって検出し、自転車の搭乗者や周囲の人に対する注意喚起や交通ルールを遵守するための誘導等を行うことが必要になると考えられる。
【０００３】
自転車は、通常、車道の端に沿って走行するため、車道の端に設置された縁石ブロックにセンサ等を設けることができれば、車両等の通行の邪魔になることなく自転車を容易に検知することができると考えられる。自転車検知用のセンサではないが縁石ブロック自体にセンサを設ける技術は、例えば下記特許文献１により知られている。
【先行技術文献】
【特許文献】
【０００４】
【特許文献１】特開平８−１５２４８４号公報
【発明の概要】
【発明が解決しようとする課題】
【０００５】
特許文献１に記載の技術は、縁石ブロックの製造段階で予め形成しておいた空洞にセンサを取り付けるものであるが、このセンサに伴って設けられる回路部品等の設置やケーブルの取り回し等については特に考慮されていない。
【０００６】
本発明は、縁石ブロックに対するセンサや回路部品等のデバイスの収容やデバイスへの電気配線作業を容易に行うことができる縁石ブロック及びブロックセットを提供することを目的とする。
【課題を解決するための手段】
【０００７】
（１）本発明は、道路の境界部に設けられる縁石ブロックであって、
当該縁石ブロックの長さ方向の端部に、上面及び長さ方向の端面において開口する収容凹部が形成され、
前記収容凹部を除く長さ方向の全体にわたって電線又は電線挿通管を収容するための電線収容部が形成されている。
【０００８】
この構成によれば、縁石ブロックの長さ方向の端部には、上面において開口する収容凹部が形成されるので、縁石ブロックの上方から収容凹部内に容易にセンサや回路部品等のデバイスを収容することができる。また、デバイスに接続される電線やこの電線を通すための電線挿通管は、電線収容部を使用することによって縁石ブロック内でその長さ方向に沿って配置することができる。
【０００９】
また、縁石ブロックは、収容凹部が縁石ブロックの長さ方向の端面において開口しているので、同様の収容凹部を有する他の縁石ブロックと隣接させることによってそれぞれの収容凹部を互いに連通させることができ、収容凹部の容積を拡大してデバイスの収容能力を高めることができる。
【００１０】
（２）好ましくは、前記収容凹部が、長さ方向の片側の端部に形成されている。
この場合、縁石ブロックの長さ方向の一端部における収容凹部内にセンサ等のデバイスを収容し、このデバイスに接続される電線を電線収容部に収容して縁石ブロックの長さ方向他端部から引き出すことができる。
【００１１】
（３）また、好ましくは、前記収容凹部が、長さ方向の両端部に形成されている。
この場合、例えば一方の収容凹部にセンサを収容し、他方の収容凹部に回路部品等を収容し、両収容凹部の間の電線収容部にセンサと回路部品等とを接続する電線を収容することができる。
【００１２】
（４）好ましくは、前記電線収容部が、前記収容凹部を除く長さ方向の全体にわたって形成され当該縁石ブロックの上面において開放した溝を含む。
このような構成によって、例えば施工現場において縁石ブロックを地面に設置した後に、縁石ブロックの上方から溝内に電線又は電線挿通管を収容することが可能となる。
【００１３】
（５）好ましくは、前記電線収容部が、前記収容凹部を除く長さ方向の全体にわたって内部に埋設された電線挿通管を含む。
この構成によれば、縁石ブロックに埋設された電線挿通管内に電線を通すことによって、縁石ブロックに電線を収容することができる。
【００１４】
（６）本発明は、道路の境界部に設置される複数の縁石ブロックを含むブロックセットであって、
長さ方向の少なくとも一端部に上面及び長さ方向の端面において開口する収容凹部が形成され、前記収容凹部を除く長さ方向の全体にわたって電線又は電線挿通管を収容するための電線収容部が形成されている第１縁石ブロックと、
長さ方向の少なくとも他端部に上面及び長さ方向の端面において開口する収容凹部が形成され、前記収容凹部を除く長さ方向の全体にわたって電線又は電線挿通管を収容するための電線収容部が形成されている第２縁石ブロックと、を備え、
前記第１縁石ブロックと前記第２縁石ブロックとが、互いに前記収容凹部を連通させた状態で隣接して配置される。
【００１５】
以上の構成を有するブロックセットは、第１縁石ブロックと第２縁石ブロックとが互いに収容凹部を連通させた状態で隣接して配置されるので、収容凹部の容積を拡大してデバイスの収容能力を高めることができる。また、収納凹部は、第１及び第２縁石ブロックの上面において開口しているので、第１及び第２縁石ブロックの上方から収容凹部内に容易にセンサや回路部品等のデバイスを収容することができる。デバイスに接続される電線やこの電線を通すための電線挿通管は、第１及び第２縁石ブロックの電線収容部を使用することによって当該縁石ブロック内にその長さ方向に沿って配置することができる。
【００１６】
（７）好ましくは、前記ブロックセットが、前記第１縁石ブロックと前記第２縁石ブロックとの間に設けられかつ前記第１縁石ブロックの収容凹部と前記第２縁石ブロックの収容凹部とを連通させるための切欠を有する目地部材をさらに備える。
このような構成によって、目地部材によって収容凹部が区画されることが無く、第１縁石ブロックと前記第２縁石ブロックとの間に容積が拡大された１つの収容凹部を形成することができる。
【００１７】
（８）好ましくは、前記ブロックセットが、前記第１縁石ブロックの収容凹部と前記第２縁石ブロックの収容凹部との上面開口を、両収容凹部に跨って塞ぐ蓋体をさらに備える。
このような構成によって、容積が拡大された収容凹部を１枚の蓋体によって塞ぐことができ、収容凹部内への異物の侵入を抑制することができる。
【００１８】
（９）好ましくは、前記ブロックセットが、前記第１縁石ブロックの収容凹部と前記第２縁石ブロックの収容凹部とにわたって配置される収容箱をさらに備える。
このような構成によって、収容凹部に配置された収容箱内にデバイスを収め、当該デバイスを保護することができる。
【００１９】
（１０）好ましくは、前記ブロックセットが、前記収容凹部が形成されていない前記第１又は第２縁石ブロックの端部に隣接して配置され、かつ、長さ方向の全体にわたって電線又は電線挿通管を収容するための電線収容部が形成された第３縁石ブロックをさらに備えている。
このような構成によって、第３縁石ブロックの電線収容部を利用することで、電線をさらに延長して配置することができる。
【発明の効果】
【００２０】
本発明によれば、縁石ブロックに対するデバイスの収容やデバイスへの電気配線作業を容易に行うことができる。
【図面の簡単な説明】
【００２１】
【図１】第１の実施形態に係る縁石ブロックセットの斜視図である。
【図２】図１におけるＡ−Ａ線断面図である。
【図３】図１におけるＢ−Ｂ線断面図である。
【図４】第１及び第２の縁石ブロックの斜視図である。
【図５】第１及び第２の縁石ブロックの斜視図である。
【図６】互いに隣接する縁石ブロックの境界部分を示す分解斜視図である。
【図７】第２の実施形態に係る縁石ブロックの図３に相当する断面図である。
【図８】第５及び第６の縁石ブロックの斜視図である。
【図９】第７及び第８の縁石ブロックの斜視図である。
【図１０】互いに隣接する縁石ブロックの境界部分を示す分解斜視図である。
【図１１】第３の実施形態に係る縁石ブロックの図３に相当する断面図である。
【図１２】収容箱の変形例を示す斜視図である。
【図１３】目地部材及び収容箱の変形例を示す斜視図である。
【発明を実施するための形態】
【００２２】
以下、本発明の実施形態を、図面に基づき説明する。
［第１の実施形態］
図１は、第１の実施形態に係る縁石ブロックセットの斜視図、図２は、図１におけるＡ−Ａ線断面図、図３は、図１におけるＢ−Ｂ線断面図である。
図１〜図３において、例えば車道と歩道との境界部分には、道路縦断方向（以下、単に「縦断方向」ともいう）に沿って複数種類（第１〜第４）の縁石ブロック１１〜１４が並べて配置されている。本実施形態では、道路縦断方向に直交する水平方向を道路横断方向又は幅方向ともいう。
【００２３】
各縁石ブロック１１〜１４は、道路縦断方向に細長い６面体からなるプレキャストコンクリート製のブロックである。各縁石ブロック１１〜１４は、長さ方向（縦断方向）に直交する断面が略台形状に形成されている。全ての縁石ブロック１１〜１４には、長さ方向に沿って電線収容部２１が形成されている。また、第１〜第３の縁石ブロック１１〜１３には、収容凹部２２が形成されている。各縁石ブロック１１〜１４の間には、発泡ゴム等からなる目地部材３１が設けられている。収容凹部２２内には、収容箱３２が配置され、収容凹部２２の上方には蓋体３３が設けられている。
【００２４】
収容凹部２２には、交通安全対策として自転車検知用のセンサをはじめこれに付随して設けられる回路部品などの各種デバイスＤ（図３参照）が収容される。自転車検知用のセンサは、例えば、自転車の台数の計測、自転車の逆走検知、交差点における衝突事故対策のための位置検出等に利用される。また、収容凹部２２に収容されるセンサは、自転車検知用に限らずあらゆる用途に用いられるものとすることができ、光センサ、電波センサ、磁気センサ等のあらゆる種類のセンサとすることができる。
【００２５】
なお、本実施形態では、第１〜第３の縁石ブロック１１〜１３のいずれかが、特許請求の範囲に記載された第１縁石ブロック又は第２縁石ブロックに相当し、第４の縁石ブロック１４が、特許請求の範囲に記載された第３縁石ブロックに相当する。
【００２６】
図１及び図２に示すように、電線収容部２１は、縁石ブロック１１〜１４の上面において開口する溝２１ａにより構成されている。溝２１ａは、縁石ブロック１１〜１４の長さ方向に沿って細長く形成され、縁石ブロック１１〜１４の高さの１／２〜１／３程度の深さを有している。
【００２７】
溝２１ａは、縁石ブロック１１〜１４の幅方向（道路横断方向）に間隔をあけて２箇所に形成されている。２つの溝２１ａは、互いに平行である。各溝２１ａには、電線を通すための電線挿通管２３が収容されている。本実施形態では、各溝２１ａにそれぞれ２本の電線挿通管２３が上下に並べて収容されている。
【００２８】
各電線挿通管２３は、例えばＣＤ管と呼ばれる合成樹脂製の可撓管が採用され、溝２１ａと同一の長さに形成される。電線挿通管２３は、例えば縁石ブロック１１〜１４の施工現場において溝２１ａ内に収容される。また、電線挿通管２３が収容された後の溝２１ａは、例えば施工現場においてモルタル等の充填材２４で埋められる。
【００２９】
図４は、第１及び第２の縁石ブロック１１，１２の斜視図である。図５は、第３及び第４の縁石ブロック１３，１４の斜視図である。
図１及び図３〜図５に示すように、収容凹部２２は、底面２２ａと、底面２２ａの幅方向の両側に設けられた側面２２ｂとを有し、各縁石ブロック１１〜１３の上面と長さ方向の端面において開口する略直方体形状の凹部である。収容凹部２２の幅は、２箇所の溝２１ａ全体の幅とほぼ一致している。収容凹部２２の高さ（深さ）は、溝２１ａの深さとほぼ一致している。溝２１ａに収容された電線挿通管２３の端面は、収容凹部２２において開口している。
【００３０】
図４（ａ）に示す第１の縁石ブロック１１は、長さ方向の一端部（図示例では右側）に収容凹部２２を有している。
図４（ｂ）に示す第２の縁石ブロック１２は、長さ方向の両端部に収容凹部２２を有している。
図５（ａ）に示す第３の縁石ブロック１３は、長さ方向の他端部（図示例では左側）に収容凹部２２を有している。
【００３１】
図６は、互いに隣接する縁石ブロックの境界部分を示す分解斜視図である。
図６（ａ）に示すように、隣接して配置される第１の縁石ブロック１１と第２の縁石ブロック１２とは、互いに収容凹部２２が連通するように配置される。第１の縁石ブロック１１と第２の縁石ブロック１２の間に設けられる目地部材３１は、両縁石ブロック１１，１２の対向する端面と同一形状に形成されている。つまり、目地部材３１には、第１及び第２の縁石ブロック１１，１２の収容凹部２２同士を連通させることができる切欠３１ａが形成されている。この切欠３１ａは、収容凹部２２の幅及び深さと略同一の幅及び深さを有している。
【００３２】
第１の縁石ブロック１１の収容凹部２２と第２の縁石ブロック１２の収容凹部２２とには、これらに跨って収容箱３２が配置されている。この収容箱３２は、例えば合成樹脂材により、底壁３２ａと、この底壁３２ａの幅方向両側から立ち上がる側壁３２ｂとを有し、上方及び長さ方向両側に開口する断面略コの字状に形成されている。収容箱３２は、底壁３２ａが、収容凹部２２の底面２２ａ上に配置され、側壁３２ｂが、収容凹部２２内の側面２２ｂに沿って配置される。収容箱３２は、互いに連通する収容凹部２２の全体にわたる道路縦断方向の長さを有している。
【００３３】
蓋体３３は、第１の縁石ブロック１１と第２の縁石ブロック１２との双方に跨って配置され、これらの上面にねじ等の固定具３５（図１参照）によって固定されている。蓋体３３は、互いに連通する双方の収容凹部２２を上方から塞いでいる。
なお、第２の縁石ブロック１２と第３の縁石ブロック１３との境界部分も、図６（ａ）に示す形態と実質的に同一であるため、これらの符号を括弧書きで併記している。
【００３４】
図６（ｂ）に示すように、第３の縁石ブロック１３と、第４の縁石ブロック１４とは、互いに電線収容部２１内の電線挿通管２３の端面同士が対向するように配置される。第３の縁石ブロック１３と第４の縁石ブロック１４との間に設けられる目地部材３１は、両縁石ブロック１３，１４の端面と略同一形状に形成されている。つまり、目地部材３１には、溝２１ａの形状に倣った切欠３１ｂが形成されている。
【００３５】
また、第３の縁石ブロック１３と第４の縁石ブロック１４との間には、ジョイント管３４が設けられる。このジョイント管３４は、第３の縁石ブロック１３の電線挿通管２３の端部内に嵌合される嵌合部３４ａと、第３の縁石ブロック１４の電線挿通管２３の端部内に嵌合される嵌合部３４ｂと、両嵌合部３４ａ、３４ｂの間に設けられた中間板３４ｃとを有している。そして、各嵌合部３４ａ，３４ｂをそれぞれ電線挿通管２３に嵌合することによって、第３の縁石ブロック１３の電線挿通管２３と第４の縁石ブロック１４の電線挿通管２３とが互いに接続される。中間板３４ｃは、目地部材３１の切欠３１ｂ内に配置される。
【００３６】
［本実施形態の作用効果］
以上の構成を有する第１〜第３の縁石ブロック１１〜１３は、長さ方向の片側の端部又は両端部に、上面及び端面において開口する収容凹部２２が形成されている。また、第１〜第３の縁石ブロック１１〜１３は、収容凹部２２を除く長さ方向の全体にわたって電線挿通管２３を収容するための溝２１ａ（電線収容部２１）が形成されている。したがって、収容凹部２２に対してセンサや回路部品等のデバイスを収容することができ、当該デバイスに接続される電線を溝２１ａ内の電線挿通管２３に通すことで、縁石ブロック１１〜１３内にその長さ方向に沿って電線を配置することができる。
【００３７】
収容凹部２２は、各縁石ブロック１１〜１３の上面において開口しているので、各縁石ブロック１１〜１３の上方から収容凹部２２内に容易にデバイスを収容することができる。また、収容凹部２２は、各縁石ブロック１１〜１３の長さ方向の端面において開口しているので、収容凹部２２を有する他の縁石ブロック１１〜１３と隣接させて収容凹部２２同士を連通させることによって、全体として容積の大きい収容凹部２２，２２を形成することができる。そのため、収容凹部２２，２２の収容能力を高め、収容凹部２２，２２内に収容するデバイスの種類、大きさ、数量等の自由度を高めることができる。
【００３８】
電線収容部２１は、各縁石ブロック１１〜１４の上面において開口する溝２１ａにより構成されているので、縁石ブロック１１〜１４の施工現場において縁石ブロック１１〜１４の上方から溝２１ａ内に容易に電線挿通管２３を収容することができる。また、現場に応じて溝２１ａ内に収容する電線挿通管２３の本数を調整することができる。電線挿通管２３を収容したあとは、モルタル等の充填材２４で溝２１ａを埋めることによって、製造段階で電線挿通管２３が埋設された縁石ブロック１１〜１４と同様の形態とすることができる。
【００３９】
長さ方向の両端部に収容凹部２２が形成された第２の縁石ブロック１２は、例えば一方の収容凹部２２にセンサを収容し、他方の収容凹部２２に回路部品等を収容し、両収容凹部２２の間の電線収容部２１にセンサと回路部品とを接続する電線を収容することができる。また、第２の縁石ブロック１２は、収容凹部２２が形成された他の縁石ブロック１１，１３を長さ方向の両側に隣接させることで、長さ方向の両側に容積が拡大された収容凹部２２，２２を形成することができ、デバイスの収容能力をより高めることができる。
【００４０】
互いに連通する収容凹部２２，２２内には、両者に跨って収容箱３２が配置され、この収容箱３２内にデバイスを収めることができるので、例えば縁石ブロック１１〜１３の境界部分等がデバイスに接触してデバイスを傷つけてしまうことがなく、収容箱３２によってデバイスを保護することができる。
【００４１】
第１の縁石ブロック１１と第２の縁石ブロック１２との間、及び、第２の縁石ブロック１２と第３の縁石ブロック１３との間に設けられた目地部材３１には、その両側に配置される収容凹部２２，２２を連通させるための切欠３１ａを有しているので、目地部材３１によって２つの収容凹部２２，２２が区画されることがなく、１つの広い収容凹部２２，２２を形成することができる。
【００４２】
互いに連通する収容凹部２２，２２の上面側の開口は、両者に跨って配置された蓋体３３によって塞がれるので、広く形成された収容凹部２２，２２を１枚の蓋体によって塞ぎ、収容凹部２２，２２内への異物の侵入を抑制することができる。
【００４３】
［第２の実施形態］
図７は、第２の実施形態に係る縁石ブロックの図３に相当する断面図である。図８は、第５及び第６の縁石ブロックの斜視図である。図９は、第７及び第８の縁石ブロックの斜視図である。
第２の実施形態に係る縁石ブロック（第５〜第８の縁石ブロック）１５〜１８は、第１の実施形態のような溝２１ａによって構成された電線収容部２１を備えておらず、電線挿通管２３によって構成された電線収容部２１を備えている。そして、上述の第１の実施形態では、縁石ブロック１１〜１４の施工現場において電線挿通管２３が溝２１ａ内に収容されていたが、本実施形態の電線挿通管２３は、縁石ブロック１５〜１８の製造段階で縁石ブロック１５〜１８の内部に埋設される。
【００４４】
なお、本実施形態では、第５〜第７の縁石ブロック１５〜１７のいずれかが、特許請求の範囲に記載された第１縁石ブロック又は第２縁石ブロックに相当し、第８の縁石ブロック１８が、第３縁石ブロックに相当する。
【００４５】
図８（ａ）に示すように、第５の縁石ブロック１５は、第１の縁石ブロック１１と同様に長さ方向の一端部に収容凹部２２を有している。第５の縁石ブロック１５は、収容凹部２２を除く長さ方向の全体にわたって埋設された電線収容部２１としての電線挿通管２３を有している。第５の縁石ブロック１５は、図１に示す第１の縁石ブロック１１と同様の形態で使用される。
【００４６】
図８（ｂ）に示すように、第６の縁石ブロック１６は、第２の縁石ブロック１２と同様に長さ方向の両端部に収容凹部２２を有している。第６の縁石ブロック１６は、収容凹部２２を除く長さ方向の全体にわたって埋設された電線収容部２１としての電線挿通管２３を有している。第６の縁石ブロック１６は、図１に示す第２の縁石ブロック１２と同様の形態で使用される。
【００４７】
図９（ａ）に示すように、第７の縁石ブロック１７は、第３の縁石ブロック１３と同様に長さ方向の他端部に収容凹部２２を有している。第７の縁石ブロック１７は、収容凹部２２を除く長さ方向の全体にわたって埋設された電線収容部２１としての電線挿通管２３を有している。第７の縁石ブロック１７は、図１に示す第３の縁石ブロック１３と同様の形態で使用される。
【００４８】
図９（ｂ）に示すように、第８の縁石ブロック１８は、第４の縁石ブロック１４と同様に長さ方向の全体にわたって埋設された電線収容部２１としての電線挿通管２３を有している。第８の縁石ブロック１８は、図１に示す第４の縁石ブロック１４と同様の形態で使用される。
【００４９】
図１０は、互いに隣接する第７の縁石ブロック１７と第８の縁石ブロック１８の境界部分を示す分解斜視図である。
第７の縁石ブロック１７の長さ方向の一端部と、第８の縁石ブロック１８の長さ方向の他端部との間には目地部材３１が設けられている。この目地部材３１には、第７の縁石ブロック１７の電線挿通管２３と第８の縁石ブロック１８の電線挿通管２３とを接続するジョイント管３６が一体に設けられている。このジョイント管３６は、目地部材３１の一方側の面から突出する部分が第７の縁石ブロック１７の電線挿通管２３の端部内に嵌合され、目地部材３１の他方側の面から突出する部分が第８の縁石ブロック１８の電線挿通管２３の端部内に嵌合される。
【００５０】
本実施形態では、各縁石ブロック１７，１８の電線挿通管２３にジョイント管３６を接続すれば、同時に第７の縁石ブロック１７と第８の縁石ブロック１８との間に目地部材３１を設けることができるので、縁石ブロック１７，１８の施工作業性を高めることができる。
【００５１】
［第３の実施形態］
図１１は、第３の実施形態に係る縁石ブロックの図３に相当する断面図である。
本実施形態の縁石ブロック１９は、地上に突出する縁石部１９Ａを上部に備え、地中に埋設されかつ内部に排水通路１９Ｂ１を有する基礎部１９Ｂを下部に備えたものである。そして、縁石ブロック１９の縁石部１９Ａには、上記第１又は第２の実施形態で説明したような収容凹部２２と電線収容部２１とが形成されている。したがって、本実施形態においても上記各実施形態と略同様の作用効果を奏する。
【００５２】
［その他の変形例］
図１２は、収容箱３２の変形例を示す斜視図である。
図１２（ａ）示す収容箱３２は、長さ方向の一端部と他端部とが開口する角筒形状に形成されている。図１２（ｂ）に示す収容箱３２は、底壁３２ａと両側壁３２ｂとを有し、両側壁３２ｂの長さ方向の一端同士及び他端同士が、上部側において帯板状の連接板３２ｃで連結されている。したがって、収容箱３２の下部側で、長さ方向の一端側と他端側とが開口している。
【００５３】
図１３は、目地部材３１及び収容箱３２の変形例を示す斜視図である。
図１３に示す目地部材３１と収容箱３２とは、互いに接着されることによって一体化されている。具体的に、収容箱３２の底壁３２ａ及び側壁３２ｂが、目地部材３１の切欠３１ａに嵌合された状態で両者が接着されている。したがって、互いに連通する収容凹部２２，２２に収容箱３２を配置することによって、隣接する縁石ブロックの間に目地部材３１を設けることができ、縁石ブロックの施工作業性を高めることができる。
【００５４】
本発明は、上記実施形態に限定されるものではなく、特許請求の範囲に記載された発明の範囲内において適宜変更可能である。
例えば、縁石ブロックの収容凹部に収容されるデバイスは、交通安全対策等のためのセンサや回路部品等に限定されるものではなく、あらゆるデバイスを収容することができる。例えば、収容凹部には、蓄電器やソーラーパネル等の電源部品、液晶パネル等の表示部品等を収容することができる。また、収容凹部は、自動運転支援のために活用することもできる。例えば、インテリジェント基準点となるＩＣタグを収容凹部内に収容することによって縁石ブロックに標情報を発信するマーカーとしての機能を持たせ、道路を走行する自動運転車両との通信や、マップデータのマッチング補完等のために活用することができる。
【００５５】
上記第１の実施形態では、電線収容部としての溝が幅方向の２箇所に形成されていたが、１箇所又は３箇所以上に形成されていてもよい。この溝の内部には、複数本の電線挿通管が幅方向に並べて収容されてもよい。
収容凹部の形状は、底面と側面とによって略直方体形状とされていたが、例えば、底面が半円筒形状に形成されこの底面に側面が滑らかに連なる形状であってもよい。
【００５６】
縁石ブロックは、歩道と車道との境界に設置されるものに限定されない。例えば、縁石ブロックは、道路（車道又は歩道）と駐車場との境界、道路（車道又は歩道）と植栽との境界等に設置されるものであってもよい。
また、縁石ブロックは、直線状のものに限らず、交差点等に設置される曲線状のもの等であってもよい。
【符号の説明】
【００５７】
１１：第１の縁石ブロック
１２：第２の縁石ブロック
１３：第３の縁石ブロック
１４：第４の縁石ブロック
１５：第５の縁石ブロック
１６：第６の縁石ブロック
１７：第７の縁石ブロック
１８：第８の縁石ブロック
１９：縁石ブロック
２１：電線収容部
２１ａ：溝
２２：収容凹部
２３：電線挿通管
３１：目地部材
３１ａ：切欠
３２：収容箱
３３：蓋体
【図１】
2019218688.tif 000003
【図２】
2019218688.tif 000004
【図３】
2019218688.tif 000005
【図４】
2019218688.tif 000006
【図５】
2019218688.tif 000007
【図６】
2019218688.tif 000008
【図７】
2019218688.tif 000009
【図８】
2019218688.tif 000010
【図９】
2019218688.tif 000011
【図１０】
2019218688.tif 000012
【図１１】
2019218688.tif 000013
【図１２】
2019218688.tif 000014
【図１３】
2019218688.tif 000015